【事件の表示】
　特許第６７４９７４１号発明「気体噴出装置」の特許異議申立事件について、次のとおり決定する。
【結　論】
　特許第６７４９７４１号の請求項１ないし６に係る特許を維持する。
【理　由】
第１　手続の経緯
　特許第６７４９７４１号（以下、「本件特許」という。）の請求項１ないし６に係る特許についての出願は、２０１９年（令和１年）１０月１日（優先権主張　平成３０年１０月８日）を国際出願日とする出願であって、令和２年８月１４日にその特許権の設定登録（請求項の数６）がされ、特許掲載公報が同年９月２日に発行され、その後、その特許に対し、同年１２月２８日に特許異議申立人　イースタン技研株式会社（以下、「特許異議申立人」という。）により特許異議の申立て（対象請求項：請求項１ないし６）がされたものである。
第２　本件特許発明
　本件特許の請求項１ないし６の特許に係る発明は、それぞれ、その特許請求の範囲の請求項１ないし６に記載された事項により特定される次のとおりのものである。
　以下、請求項の番号に応じて各発明を「本件特許発明１」のようにいう。
【請求項１】
　複数のノズルを近接して配置した気体噴出装置であって、
　前記ノズルは互いの回転を阻害しないように近接して配置され、かつすべて同一方向に回転させる筐体と、
　気体を受け入れる流体流路を備え、回転可能に保持された回転体と、
　前記回転体から内部が遮られずに延び、前記気体をオリフィスから噴射させるノズル部材と、
　前記回転体および前記ノズル部材を収容する保護カバーと
　保護カバー内部で、前記オリフィスを収容する空間を画定する底板と、
　を備える前記ノズルと
　を有し、
　前記ノズル部材は、前記回転体に接合され、前記回転体との接合部から前記ノズル部材の内径を保持して前記オリフィスまで屈曲して延びる、気体噴出装置。
【請求項２】
　前記ノズル部材は、前記流体流路と前記オリフィスとの間に延び、前記底板に対して周方向および垂直方向に対して傾斜して延びる、請求項１に記載の気体噴出装置。
【請求項３】
　前記ノズル部材は、垂直に対して５〜６０°傾斜して前記底板にまで延びる、請求項１または２に記載の気体噴射装置。
【請求項４】
　前記流体流路の最下部の断面積Ｓと、前記ノズル部材の断面積Ｓ１との比、Ｓ／Ｓ１が、２〜１００である、請求項１〜３のいずれか１項に記載の気体噴射装置。
【請求項５】
　前記流体流路の上端は、前記ノズルの上端よりも低い位置まで延びて、クリアランスを提供する、請求項１〜４のいずれか１項に記載の気体噴射装置。
【請求項６】
　前記流体流路は、前記ノズル部材に至るまで径が拡大するように形成された、請求項１〜５のいずれか１項に記載の気体噴射装置。
第３　特許異議申立理由の概要
　特許異議申立人が提出した特許異議申立書において主張する特許異議申立理由は、おおむね次のとおりである。
１　申立理由（甲第１号証を主引用例とする進歩性欠如）
　本件特許発明１ないし６は、甲第１号証に記載された発明に基づいて、その発明の属する技術の分野における通常の知識を有する者（以下、「当業者」という。）が容易に発明をすることができたものであって、特許法第２９条第２項の規定により特許を受けることができないものであるから、それらの発明に係る特許は、同法第１１３条第２号に該当し、取り消されるべきものである。
２　証拠方法
　特許異議申立人は、証拠として、以下の文献等を提出する。
・甲第１号証：特開２０１１−２００７７号公報
・甲第２号証：特開２００５−１３１５０２号公報
・甲第３号証：特開平１０−８８８００号公報
・甲第４号証：特開２００６−１２２８４６号公報
・甲第５号証：特開２００８−３６６１７号公報
　以下、順に「甲１」のようにいう。
第４　当審の判断
　当審は、以下に述べるように、申立理由には理由はないと判断する。
１　甲１の記載事項
　甲１には、「洗浄ノズル及びこの洗浄ノズルを備えた洗浄装置」に関し、以下の事項が記載されている（下線は当審において付した。以下同様。）。
・「【請求項１】
　回転自在に支持された回転ヘッドと、前記回転ヘッドに設けられたエアー噴射口と、前記回転ヘッドに設けられた水噴射口とを備え、前記エアー噴射口から噴射されたエアーによって前記回転ヘッドを回転させて渦状の気流を発生させ、前記水噴射口から噴射された水を前記渦状の気流に巻き込ませて被洗浄物に衝突させることを特徴とする洗浄ノズル。
・・・
【請求項３】
　請求項１または２に記載した洗浄ノズルと、前記洗浄ノズルのエアー噴射口から噴射させるエアーを供給するエアー供給手段と、前記洗浄ノズルの水噴射口から噴射させる水を供給する水供給手段とを備え、洗浄時には、前記エアー供給手段から供給されたエアーによる渦状の気流に前記水供給手段から供給された水を巻き込ませた上で被洗浄物に衝突させ、乾燥時には、前記エアー供給手段から供給されたエアーによる渦状の気流をそのまま被洗浄物に衝突させることを特徴とする洗浄装置。
【請求項４】
　請求項３に記載した洗浄装置において、
　被洗浄物の搬送方向へ直列配置された複数の洗浄ノズルを備え、前記搬送方向に隣り合う洗浄ノズルの回転ヘッドは互いに異なる方向に回転することを特徴とする洗浄装置。
【請求項５】
　請求項４に記載した洗浄装置において、
　被洗浄物の搬送方向へ直列及び並列配置された複数の洗浄ノズルを備え、並列方向では回転ヘッドは端部側が重なりながら互い違いになっていることを特徴とする洗浄装置。」
・「【技術分野】
【０００１】
本発明は洗浄ノズル及びこの洗浄ノズルを備えた洗浄装置に係り、特にエアーと水の両方を噴射する洗浄ノズル及びこの洗浄ノズルを備えた洗浄装置に関するものである。」
・「【０００６】
　本発明は上記従来の問題点に着目して為されたものであり、被洗浄物に付着した汚れを確実に除去することができる洗浄ノズル及びこの洗浄ノズルを備えた安価な洗浄装置を提供することを、その目的とする。」
・「【発明を実施するための形態】
【００１４】
　
本発明の第１の実施の形態に係る洗浄装置１を図１から図７にしたがって説明する。
　図１において符号３は装置本体を示し、この
装置本体３はケース１０３を備えている。ケース１０３内には支持ボックス１０１が備えられており
・・・
　即ち、
支持ボックス１０１には、
ノズル取付部１１２が四組設けられている。
【００１５】
　四組のノズル取付部１１２には、洗浄ノズル５が下向きにそれぞれ取り付けられている。
　
洗浄ノズル５ａは固定ベース部７、支持ケース部９、一対のボールベアリング１１、ノズル本体１３、プレート部１５、取付板１６及び蓋体１７によって構成されている。
・・・
【００１７】
　
支持ケース部９の構成について説明する。
　
符号４１はカバー部を示し、このカバー部４１は短寸法の円筒状に形成されている。カバー部４１は一方側（図３において上側）が開口しており、
　また、固定板４５の四隅にはネジ挿通孔４９がそれぞれ形成されている。【００１８】
　
ノズル本体１３の構成について説明する。
　
符号５１は円筒管を示し、この円筒管５１の一端部側の外周面（図３において上端部側の外周面）には一対のパイプ５５が取り付けられている。一対のパイプ５５の基端部は円筒管５１の外周面を貫通して円筒管５１の内部と連通している。また一対のパイプ５５の先端部は、先端側開口であるエアー噴射口５７が図６において時計回りの方向を向き、且つ図３において斜め上方（図１において斜め下方）を向くように曲げられている。
・・・
【００２３】
　蓋体１７の構成について説明する。
　
蓋体１７は円盤状を為しており、この蓋体１７には長円形の一対の穴９３が形成されている。一対の穴９３はノズル本体１３のパイプ５５のエアー噴射口５７に対応して配置されている。
　
蓋体１７には、円形の穴から成る一対の水噴射口９５が形成されており、水噴射口９５どうしは互いに離間して蓋体１７の縁部近傍に配置されている。
　回転ヘッド１１５はノズル本体１３、プレート部１５、取付板１６および蓋体１７によって構成されている。
【００２４】
　洗浄ノズル５ａは図４、図５に示すように組み立てられている。
　固定ベース７は支持ボックス１０１の上面（図４では上面が下側を向いている。）に当接させられる。この状態でネジ１１３によって固定ベース７が支持ボックス１０１に固定されている。
・・・
【００２５】
　
支持ケース部９は支持ボックス１０１の下面（図４では下面が上側を向いている。）に備えられており、ネジ１１３によって支持ケース部９が支持ボックス１０１に固定されている。
　ボールベアリング１１のステータ側１１ａは支持ケース部９の円筒管４３に固定され、ロータ側１１ｂはノズル本体１３の円筒管５１に固定されており、ステータ側１１ａとロータ側１１ｂとの間にはボール１１ｃが介装されている。
従って、ノズル本体１３は支持ケース部９に対し回転自在に支持されている。
・・・
【００２８】
　図６に示すように洗浄ノズル５ｃ、５ｄの一対のパイプ５５の先端部は、洗浄ノズル５ａ、５ｂとは逆に、エアー噴射口５７が図６において反時計回りの方向を向くように曲げられている。
　
４つの洗浄ノズル５は千鳥状に配置されており、
搬送方向に対して二列に並列配置されている。並列方向では、洗浄ノズル５ａ、５ｃと洗浄ノズル５ｂ、５ｄは、回転ヘッド１１５の端部側が重なりながら互い違いになっている。
・「【００３１】
　次に、洗浄装置１の動作について説明する。
　洗浄装置１の図示しないスイッチを入れるとエアー用ポンプが作動し、エアーがエアー供給管１２１、支持ボックス１０１に流れて洗浄ノズル５に供給される。そして洗浄ノズル５に供給されたエアーが図５の矢印に示すようにノズル本体１３の円筒管５１、パイプ５５に流れて、エアー噴射口５７から噴射される。
　また、水用ポンプが作動し、水が給水ホース１２３に流れて洗浄ノズル５に供給される。そして洗浄ノズル５に供給された水が図４の矢印に示すように給水管２７、凹部７３、水路溝７９に流れて、水噴射口９５から噴射される。
【００３２】
　
エアー噴射口５７から噴射されたエアーにより、
搬送方向に隣り合う洗浄ノズル５ａ、５ｃまたは洗浄ノズル５ｂ、５ｄの回転ヘッド１１５は互いに異なる方向に回転する。
【００３３】
　
回転ヘッド１１５が回転すると、一対のパイプ５５のエアー噴射口５７が円形の軌道ｘを描くように移動するので、洗浄ノズル５の下側に渦状の気流が発生する。そして、水噴射口９５から噴射された水は、この渦状の気流に巻き込まれる。従って、水は渦巻状に噴射されることになる。
・・・
【００３５】
　また、前述したように
搬送方向に隣り合う洗浄ノズル５ａ、５ｃまたは洗浄ノズル５ｂ、５ｄの回転ヘッド１１５は互いに異なる方向に回転するため、これらの洗浄ノズル５ａ、５ｃまたは洗浄ノズル５ｂ、５ｄの下側には互いに逆回転となる渦状に水が噴射される。従って、コンテナＣの内側の底面や側面に多方向から水を確実に当てることができる。
　しかも、洗浄ノズル５ａ、５ｃと洗浄ノズル５ｂ、５ｄの一部どうしが互いにコンテナＣの搬送方向に交差する方向において重なって配置されているので、洗浄ノズル５ａ、５ｃと洗浄ノズル５ｂ、５ｄとの境界部分におけるコンテナＣの洗い残しを完全に防止することができる。
【００３６】
　コンテナＣ等の被洗浄物に
多方向から水を衝突させることができるため、被洗浄物に付着した防錆剤、切削油、切削屑等の汚れに対して衝撃を与えることができる。これにより水噴射口９５から噴射される水の圧力をそれほど高くしなくても、被洗浄物に付着した汚れを十分に除去できる。従って、高価な高水圧用ポンプを設ける必要がない。
・「【００３７】
　次に、水用ポンプが停止し、水噴射口９５から噴射されていた水を止める。なおエアー用ポンプは作動状態のままである。そして載置台１３３に載せられたコンテナＣが図１において仮想線で示す位置から左方向に搬送されて、コンテナＣが乾燥させられる。前述したように洗浄ノズル５の下側には渦状の気流が発生しているため、コンテナＣが洗浄ノズル５の下側を通るときには、図７に示すようにコンテナＣの内側の底面等に多方向からエアーが当たる。従って、洗浄によってコンテナＣに付着した水を確実に除去することができる。
【００３８】
・・・
　また、エアー噴射口５７から噴射されるエアーを、被洗浄物の洗浄と被洗浄物の乾燥とに兼用しているため、別途乾燥装置を設ける必要がない。
　上記したように洗浄装置１は乾燥装置、高水圧用ポンプ及びヒーターを設ける必要がないため、コストを低く抑えることが可能となる。」
・「【図５】
【図６】
」
２　甲１に記載された発明
　甲１には、第一の実施の形態に係る洗浄装置の記載、【図５】及び【図６】から、以下の発明が記載されていると認める。
＜甲１発明＞
　「洗浄装置において、装置本体３はケース１０３を備え、ケース１０３内には支持ボックス１０１が備えられており、支持ボックス１０１に設けられた四組のノズル取付部１１２には、洗浄ノズル５が下向きにそれぞれ取り付けられており、
　洗浄ノズル５は、固定ベース部７、支持ケース部９、一対のボールベアリング１１、ノズル本体１３、プレート部１５、取付板１６及び蓋体１７によって構成され、
　支持ケース部９は、短寸法の円筒状に形成され一方側が開口しているカバー部４１を有し、
　ノズル本体１３は、円筒管５１を有し、その一端部側の外周面には一対のパイプ５５が取り付けられ、一対のパイプ５５の基端部は円筒管５１の外周面を貫通して円筒管５１の内部と連通し、一対のパイプ５５の先端部は、先端側開口であるエアー噴射口５７が時計回りの方向を向き、且つ斜め上方を向くように曲げられており、
　蓋体１７は、円盤状を為しており、一対の穴９３がノズル本体１３のパイプ５５のエアー噴射口５７に対応して配置され、一対の水噴射口９５が互いに離間して蓋体１７の縁部近傍に配置されており、
　回転ヘッド１１５は、ノズル本体１３、プレート部１５、取付板１６および蓋体１７によって構成され、
　支持ケース部９は、支持ボックス１０１の下面に固定され、ノズル本体１３は支持ケース部９に対し回転自在に支持されており、
　４つの洗浄ノズル５は、千鳥状に配置され、搬送方向に対して二列に並列配置され、並列方向では、洗浄ノズル５ａ、５ｃと洗浄ノズル５ｂ、５ｄは、回転ヘッド１１５の端部側が重なりながら互い違いになっており、搬送方向に隣り合う洗浄ノズル５ａ、５ｃまたは洗浄ノズル５ｂ、５ｄの回転ヘッド１１５は、互いに異なる方向に回転する、
　洗浄装置。」
３　甲２の記載事項
　甲２には、「基板又はシート等における塵埃或いは汚染微粒子の除塵方法と、この除塵方法を利用した基板又はシート等の除塵装置」に関し、以下の事項が記載されている。
・「【技術分野】
【０００１】
　この発明は、製造工程において、基板又はシートの表面に付着する塵埃や汚染微粒子（以下、「塵埃等」とする。）の除塵方法と、この方法を利用した基板又はシート等の除塵装置に関するものである。」
・「【発明が解決しようとする課題】
【０００７】
　この発明が解決しようとする問題点は、直接粘着ゴムロールが接触することができない被洗浄物に使用される
非接触型の除塵装置において、単に空気を吹き付けるだけでは除去できないほど強力に固着している塵埃或いは汚染微粒子を、周囲に飛散させることなく効率よく、且つ確実に除去することができるようにする
【課題を解決するための手段】
【０００８】
　そのため、この発明は、
その表面において、圧縮空気を噴射する圧縮空気噴射孔と、高圧で吸引する高圧吸入孔とを、その中心から互いに一定の角度θを以て放射状となるように一対として配置してなる回転ノズルを、
圧縮空気の噴射による押圧及び高圧の吸引による引張を、交互に反復して作用させて細かく振動させることにより、基板又はシート等表面との固着力を弱め、該圧縮空気噴射孔から高圧吸入孔に至るよう形成される気流により、基板又はシート等の表面に固着する塵埃或いは汚染微粒子を離脱させると同時に、吸引除去しようとするものである。
・「【実施例１】
【００１１】
　図１乃至図３において示すのは、この発明の実施例である基板又はシート等の除塵装置（１）である。・・・
【００１２】
・・・例えば、図１３において示すように、
回転ノズル（１３）を基板又はシート等（２）の搬出入方向に互い違いに複数列で設置した除塵ユニット集合体（１０’）とすることにより、回転ノズル（１３）を直列に単一列で設置する場合に比べ、回転ノズル（１３）間が、その間に互い違いとなって設置される他の回転ノズル（１３）によって補われるものとなる。
・・・
　
尚、各除塵ユニット（１１）を構成する各回転ノズル（１３）は前記ギア（１９）が小ギア（１９’）を介して噛合することにより、全て同一方向に同期して回転することとなる。
・「【図１３】
」
４　対比・検討
（１）　本件特許発明１について
ア　本件特許発明１における「筐体」の解釈について
　本件特許発明１は、上記第２において認定したとおりのものであって、本件特許発明１における「筐体」は、「前記ノズルは互いの回転を阻害しないように近接して配置され、かつすべて同一方向に回転させる筐体」と特定される。
　ここで、本件特許発明１における「ノズル」は、本件特許明細書の段落【００２４】の「ノズル１２０を構成する保護カバー１３０、底板１３１、回転体１２６、オリフィス１２１ａ，１２１ｂ」及び「保護カバー１３０は、回転体１２６、オリフィス１２１ａ，１２１ｂといった高速回転する部材を外部から遮蔽する。」との記載からみて、その全体が回転するものではないが、この「筐体」の解釈における「ノズル」の「回転」は、ノズルにおける回転する部材の「回転」を指すことは、当業者であれば明らかである。
　よって、以下、本件特許発明１における「筐体」は、ノズルにおける回転する部材の回転を互いに阻害しない程度に近接してノズルを配置させるものであって、かつ、ノズルが配置された状態において、ノズルにおける回転する部材の回転がすべて同一方向であるものと解釈して検討する。
イ　対比
　上記アの解釈を踏まえ、本件特許発明１と甲１発明とを対比する。
　甲１発明の「洗浄装置」は、「エアー噴射口５７」を有する「洗浄ノズル５」から、気体を噴出するものであるから、本件特許発明１の「ノズル」を配置した「気体噴出装置」に相当する。
　そして、甲１発明の洗浄ノズル５は、装置本体３のケース１０３内の支持ボックス１０１に下向きに取り付けられており、４つの洗浄ノズル５は千鳥状に配置され、回転ヘッド１１５の端部側が重なりながら互い違いになっていることから、甲１発明において、複数の洗浄ノズルが近接して配置され、ノズルは互いの回転を当然阻害しないようになっていると理解できるから、甲１発明の「支持ボックス１０１」は、本件特許発明１の「ノズルは互いの回転を阻害しないように近接して配置され、かつ回転させる筐体」である点で相当する。
　また、甲１発明の「円筒管５１」に関し、「エアーがエアー供給管１２１、支持ボックス１０１に流れて洗浄ノズル５に供給される。そして洗浄ノズル５に供給されたエアーが図５の矢印に示すようにノズル本体１３の円筒管５１、パイプ５５に流れて、エアー噴射口５７から噴射される。」（甲１【００３１】）及び「ボールベアリング１１のステータ側１１ａは支持ケース部９の円筒管４３に固定され、ロータ側１１ｂはノズル本体１３の円筒管５１に固定されており、ステータ側１１ａとロータ側１１ｂとの間にはボール１１ｃが介装されている。従って、ノズル本体１３は支持ケース部９に対し回転自在に支持されている。」（甲１【００２５】）との記載から、甲１発明の「円筒管５１」はエアーが供給され、ボールベアリング１１を介して支持ケース部９に対して回転自在に支持されていることが理解できるから、本件特許発明１の「気体を受け入れる流体流路を備え、回転可能に保持された回転体」に相当する。
　そして、甲１発明の「パイプ５５」は、その基端部が円筒管５１の外周面を貫通して内部と連通し、その先端部においてエアー噴射口５７が時計回りの方向を向き、且つ斜め上方を向くように曲げられていることから、甲１発明の「パイプ５５」及び「エアー噴射口５７」は、本件特許発明１の「ノズル部材」及び「オリフィス」にそれぞれ相当する。
　甲１発明の「支持ケース部９」及び「蓋体１７」は、本件特許発明１の「保護カバー」及び「底板」に相当する。
　そうすると、本件特許発明１と甲１発明との一致点及び相違点は、それぞれ次のとおりである。
＜一致点＞
　複数のノズルを近接して配置した気体噴出装置であって、
　前記ノズルは互いの回転を阻害しないように近接して配置され、かつ回転させる筐体と、
　気体を受け入れる流体流路を備え、回転可能に保持された回転体と、
　前記回転体から内部が遮られずに延び、前記気体をオリフィスから噴射させるノズル部材と、
　前記回転体および前記ノズル部材を収容する保護カバーと
　保護カバー内部で、前記オリフィスを収容する空間を画定する底板と、
　を備える前記ノズルと
　を有し、
　前記ノズル部材は、前記回転体に接合され、前記回転体との接合部から前記ノズル部材の内径を保持して前記オリフィスまで屈曲して延びる、気体噴出装置。」
＜相違点＞
　近接して配置された複数のノズルにおける、回転する部材の回転方向に関し、甲１発明は「互いに異なる方向に回転する」のに対し、本件特許発明１は、「すべて同一方向に回転させ」られることが特定される点。
ウ　相違点についての検討
　甲１発明における、ノズルの回転ヘッドの回転方向について、甲１には、以下の記載がなされている。
（ア）「回転ヘッド１１５が回転すると、一対のパイプ５５のエアー噴射口５７が円形の軌道ｘを描くように移動するので、洗浄ノズル５の下側に渦状の気流が発生する。そして、水噴射口９５から噴射された水は、この渦状の気流に巻き込まれる。従って、水は渦巻状に噴射されることになる。」（【００３３】）
（イ）「搬送方向に隣り合う洗浄ノズル５ａ、５ｃまたは洗浄ノズル５ｂ、５ｄの回転ヘッド１１５は互いに異なる方向に回転するため、これらの洗浄ノズル５ａ、５ｃまたは洗浄ノズル５ｂ、５ｄの下側には互いに逆回転となる渦状に水が噴射される。従って、コンテナＣの内側の底面や側面に多方向から水を確実に当てることができる。」（【００３５】）
（ウ）「コンテナＣ等の被洗浄物に多方向から水を衝突させることができるため、被洗浄物に付着した防錆剤、切削油、切削屑等の汚れに対して衝撃を与えることができる。これにより水噴射口９５から噴射される水の圧力をそれほど高くしなくても、被洗浄物に付着した汚れを十分に除去できる。従って、高価な高水圧用ポンプを設ける必要がない。」（【００３６】）
　上記（ア）の記載から、甲１発明における回転ヘッドの回転は、その回転によって発生する渦状の気流を用いて洗浄ノズルから水を渦巻状に噴射させることを目的にしていることが理解でき、（イ）及び（ウ）の記載から、甲１発明において、搬送方向に隣り合う洗浄ノズルから発生する、互いに逆回転となる渦状の水の噴射によって、被洗浄物に多方向から水を衝突させ、噴射される水の圧力をそれほど高くしなくても、被洗浄物に付着した汚れを十分に除去でき、高価な高水圧用ポンプを設ける必要がないという効果を奏するものであると理解できる。
　そうすると、甲１発明において、隣り合うノズルの回転ヘッドの回転方向について、すべて同一方向にすることは、上記効果を滅却するものといえ、その動機付けもなく、阻害事由があるともいうことができる。
　一方、本件特許発明１は、ノズルを近接配置し、かつすべて同一方向に回転させることによって、本件特許明細書の段落【００３０】に「隣接したノズル１２０は同一の方向に回動するようにノズル１２１が配置されている。このため、２つのノズル１２０の間の相対回転速度はノズル１２０の回転速度の２倍となり、また、互いに対向するノズル１２０の回転に伴って粘性抵抗により隣接するノズル１２０の隙間に侵入する気体の侵入が阻まれ、その結果、物体方向に向かう別の空気流を形成し、より洗浄効率を改善することが可能となる。」と記載されるように、ノズル間の相対回転速度を２倍とし、洗浄効率を改善するという格別顕著な効果を奏するものである。
　なお、甲１には、洗浄後の「乾燥時には、前記エアー供給手段から供給されたエアーによる渦状の気流をそのまま被洗浄物に衝突させる」（【請求項３】や【００３７】）ことが記載されるが、水を噴射させない乾燥時においても、「洗浄ノズル５の下側には渦状の気流が発生しているため、コンテナＣが洗浄ノズル５の下側を通るときには、図７に示すようにコンテナＣの内側の底面等に多方向からエアーが当たる。従って、洗浄によってコンテナＣに付着した水を確実に除去することができる。」（【００３７】）と記載されるように、多方向からのエアーによって乾燥効率を向上させるものであるから、水流を発生させた洗浄時と同様、隣り合うノズルの回転ヘッドの回転方向を同一方向にする動機付けはない。
エ　特許異議申立人の主張について
　特許異議申立人は、特許異議申立書第９ページにおいて、おおむね以下の主張をしている。
　「甲第２号証の同明細書の段落【００１２】の第１０行目〜第１３行目の「回転ノズル（１３）を直列に単一列で設置する場合に比べ、回転ノズル（１３）間が、その間に互い違いとなって設置される他の回転ノズル（１３）によって補われるものとなる。」との記載がある。
・・・この趣旨乃至要旨は、「ノズルは互いの回転を阻害しないように近接して配置されている。」ことになる。つまり、「ジグザグ配列とすべて同一方向に回転させる構成」（甲２に記載された発明）となっている。
・・・したがって、請求項１の発明は、甲第１号証（甲１に記載された発明）に、甲第２号証（甲２に記載された発明）を適用することで、当業者が容易に構成を想到することができ、効果の点でも特有性は存在せず、特許法２９条第２項の規定により特許を受けることができないものであり、同法第１１３条第２号の規定により、特許を取り消しとすべきである。」
　上記主張を検討する。
　甲２において、隣り合うノズルの回転方向を同一にする理由は、「尚、各除塵ユニット（１１）を構成する各回転ノズル（１３）は前記ギア（１９）が小ギア（１９’）を介して噛合することにより、全て同一方向に同期して回転することとなる。」（【００１２】）との記載から、ギアを用いた回転駆動系の構成に起因することが理解できる。
　そうすると、回転をギアでは無く、エアー噴射口５７から噴射されたエアーにより、洗浄ノズルの回転ヘッドを回転させる駆動力とする甲１発明において、別の駆動力を採用し、隣り合う洗浄ノズルの回転ヘッドの回転方向を同一方向にする動機付けはない。
　また、かかる回転方向の特定によって、本件特許発明１は、洗浄効率を改善するという格別顕著な効果を奏するものである。
　よって、特許異議申立人の上記主張は、採用できない。
オ　本件特許発明１についての小括
　よって、本件特許発明１は、甲１に記載された発明に基づいて当業者が容易に発明をすることができたものとはいえない。
（２）　本件特許発明２ないし６について
　本件特許発明１が、甲１に記載された発明から当業者が容易に発明をすることができたものとはいえないのは上記（１）のとおりであるから、本件特許発明１の特定事項をすべて有し、更に限定する本件特許発明２ないし６についても同様に甲１に記載された発明に基づいて当業者が容易に発明をすることができたものともいえない。
５　当審の判断のまとめ
　したがって、申立理由には理由がない。
第５　むすび
　したがって、特許異議申立人の主張する特許異議の申立ての理由及び証拠によっては、請求項１ないし６に係る特許を取り消すことはできない。
　また、他に請求項１ないし６に係る特許を取り消すべき理由を発見しない。
　よって、結論のとおり決定する。
【異議決定日】
令和３年６月７日（２０２１．６．７）